(57)【要約】  携帯電話および基地局のような時分割遠距離通信で使用するためのトランシーバは、送信モードにあっては位相固定ループ（ＰＬＬ）で駆動される直接ディジタルシンセサイザ（ＤＤＳ）を変調状態にすると共に変調信号をＤＤＳに供給して第１のフィルタに改善された変調信号の生成を許容するようにＰＬＬ内を切り換えることにより、受信モードにあってはＰＬＬで駆動されるＤＤＳを発振状態にすると共に非変調信号をＤＤＳに供給して第２のフィルタに位相雑音の低減された復調信号を許容するようにＰＬＬ内を切り換えることにより、低減されたコストでの送受信の生成を可能にする。送信部および非送信部は異なるモードのために異なる部分を使用する代わりに、両方のモードのために低コストのトランシーバ内の重要な部分を使用する基本的な概念に基づいて、ＰＬＬで駆動される単一のＤＤＳを共有し、良好な性能を達成する。
2005514850.tif 000002
【特許請求の範囲】
【請求項１】
送信モードで信号を送信し、受信モードで信号を受信すると共に、位相固定ループにより駆動されるディジタルシンセサイザを備えるトランシーバにおいて、
位相固定ループにより駆動される前記ディジタルシンセサイザは、前記送信モードにあっては変調状態であり、受信モードにあっては発振状態であることを特徴とするトランシーバ。
【請求項２】
位相固定ループにより駆動される前記ディジタルシンセサイザは、前記変調状態にあっては変調信号を受信し、前記発振状態にあっては非変調信号を受信することを特徴とする請求項１に記載のトランシーバ。
【請求項３】
前記トランシーバは前記変調信号を生成すると共に制御信号を生成するコントローラを備え、該コントローラは位相固定ループにより駆動される前記ディジタルシンセサイザに接続されるスイッチを有し、該コントローラは、第１の制御信号に応答して前記変調信号を前記コントローラから位相固定ループに駆動される該ディジタルシンセサイザに供給すると共に、第２の信号に応答して前記非変調信号を位相固定ループに駆動される該ディジタルシンセサイザに供給することを特徴とする請求項２に記載のトランシーバ。
【請求項４】
位相固定ループに駆動される前記ディジタルシンセサイザは、前記変調状態にあっては第１のフィルタリング性能を備え、位相固定ループで駆動される該ディジタルシンセサイザは、前記発振状態にあっては前記第１のフィルタリング性能とは異なる第２のフィルタリング性能を備えることを特徴とする請求項１または請求項２に記載のトランシーバ。
【請求項５】
位相固定ループで駆動される前記ディジタルシンセサイザは、前記第１のフィルタリング性能のための第１のフィルタと、前記第２のフィルタリング性能のための第２のフィルタとを備え、前記第１および第２のフィルタに結合されると共に第１の制御信号に応答して前記第１のフィルタを選択し第２の制御信号に応答して前記第２のフィルタを選択するスイッチが設けられていることを特徴とする請求項４に記載のトランシーバ。
【請求項６】
位相固定ループで駆動される前記ディジタルシンセサイザは、前記変調状態にあっては変調信号を生成し、位相固定ループで駆動される該ディジタルシンセサイザは、前記発振状態にあっては非変調信号を生成することを特徴とする請求項１または請求項２に記載のトランシーバ。
【請求項７】
位相固定ループで駆動される前記ディジタルシンセサイザの出力は、第１のスイッチと送信部と第２のスイッチとを介してアンテナに結合され、第１の制御信号に応答して前記変調信号を前記アンテナに供給すると共に該アンテナは前記変調信号を送信し、前記第１のスイッチは更に復調部の第１の入力に結合され、前記第２のスイッチは更に受信部を介して前記復調部の第２の入力に結合され、第２の制御信号に応答して前記復調部に非変調信号を供給すると共に該復調部は前記アンテナを介して受信された無線信号を復調することを特徴とする請求項６に記載のトランシーバ。
【請求項８】
送信モードで信号を送信すると共に受信モードで信号を受信するトランシーバ内で使用するための位相固定ループで駆動される前記ディジタルシンセサイザであって、該トランシーバが備える該位相固定ループで駆動される該ディジタルシンセサイザにおいて、位相固定ループで駆動される前記ディジタルシンセサイザは、前記送信モードにあっては変調状態であり、位相固定ループで駆動される該ディジタルシンセサイザは、前記受信モードにあっては発振状態であることを特徴とするディジタルシンセサイザ。
【請求項９】
ディジタルシンセサイザ内で用いるための位相固定ループであって、送信モードで信号を送信し受信モードで信号を受信し位相固定ループで駆動される前記ディジタルシンセサイザを備えるトランシーバ内で用いる位相固定ループにおいて、前記位相固定ループは、前記送信モードにあっては変調状態であり、該位相固定ループは、前記受信モードにあっては発振状態であることを特徴とする位相固定ループ。
【請求項１０】
位相固定ループで駆動されるディジタルシンセサイザ内で用いるディジタルシンセサイザであって、送信モードで信号を送信し受信モードで信号を受信すると共に位相固定ループで駆動されるディジタルシンセサイザを備えるトランシーバ内で用いられるディジタルシンセサイザにおいて、前記送信モードにあっては前記ディジタルシンセサイザが変調状態であり、前記受信モーにあっては前記ディジタルシンセサイザが発振状態であることを特徴とするディジタルシンセサイザ。
【請求項１１】
少なくとも１つの携帯ユニットと、無線通信をするための少なくとも１つのネットワークと、位相固定ループで駆動されるディジタルシンセサイザを備えて送信モードでは信号を送信し受信モードでは信号を受信する少なくとも１つのトランシーバと、を備えるシステムにおいて、位相固定ループで駆動される前記ディジタルシンセサイザは、前記送信モードにあっては変調状態であり、位相固定ループで駆動される前記ディジタルシンセサイザは、前記受信モードにあっては発振状態であることを特徴とするシステム。
【請求項１２】
送信モードにあっては信号を送信し受信モードにあっては信号を受信すると共に位相固定ループで駆動されるディジタルシンセサイザを備える携帯ユニットにおいて、位相固定ループで駆動される前記ディジタルシンセサイザは、前記送信モードにあっては変調状態であり、位相固定ループで駆動される該シンセサイザは、前記受信モードにあっては発振状態であることを特徴とする携帯ユニット。
【請求項１３】
送信モードにあっては信号を送信し受信モードにあっては信号を受信すると共に位相固定ループで駆動されるディジタルシンセサイザを備えるネットワークユニットにおいて、位相固定ループで駆動される前記ディジタルシンセサイザは、前記送信モードにあっては変調状態であり、位相固定ループで駆動される該シンセサイザは、前記受信モードにあっては発振状態であることを特徴とするネットワークユニット。
【請求項１４】
位相固定ループで駆動されるディジタルシンセサイザを介して、送信モードにあっては信号を送信し受信モードにあっては信号を受信する方法において、前記方法は、前記送信モードにあっては位相固定ループで駆動される前記ディジタルシンセサイザを変調状態とする第１のステップと、前記受信モードにあっては位相固定ループで駆動される前記シンセサイザを発振状態とする第２のステップと、を備えることを特徴とする方法。
【発明の詳細な説明】
【技術分野】
【０００１】
本発明は、送信モードにあっては信号を送信して受信モードにあっては信号を受信すると共に位相固定ループにより駆動されるディジタルシンセサイザを備えるトランシーバに関する。
【背景技術】
【０００２】
この発明はまた、送信モードで信号を送信すると共に受信モードで信号を受信するトランシーバ内で使用するための位相固定ループで駆動される前記ディジタルシンセサイザであって、該トランシーバが備える該位相固定ループで駆動される該ディジタルシンセサイザに関し、および、ディジタルシンセサイザ内で用いるための位相固定ループであって、送信モードで信号を送信し受信モードで信号を受信し位相固定ループで駆動される前記ディジタルシンセサイザを備えるトランシーバ内で用いる位相固定ループに関し、および、位相固定ループで駆動されるディジタルシンセサイザ内で用いるディジタルシンセサイザであって、送信モードで信号を送信し受信モードで信号を受信すると共に位相固定ループで駆動されるディジタルシンセサイザを備えるトランシーバ内で用いられるディジタルシンセサイザに関し、および、少なくとも１つの携帯ユニットと、無線通信をするための少なくとも１つのネットワークと、位相固定ループで駆動されるディジタルシンセサイザを備えて送信モードでは信号を送信し受信モードでは信号を受信する少なくとも１つのトランシーバと、を備えるシステムに関し、および、送信モードにあっては信号を送信し受信モードにあっては信号を受信すると共に位相固定ループで駆動されるディジタルシンセサイザを備える携帯ユニットに関し、および、送信モードにあっては信号を送信し受信モードにあっては信号を受信すると共に位相固定ループで駆動されるディジタルシンセサイザを備えるネットワークユニットに関し、および、位相固定ループで駆動されるディジタルシンセサイザを介して、送信モードにあっては信号を送信し受信モードにあっては信号を受信する方法に関する。
【０００３】
このようなトランシーバは、例えば時分割多重（ＴＤＤ―Time Division Duplex―）遠隔通信システムまたは時分割多元接続（ＴＤＭＡ―Time Division Multiple Access―）遠隔通信システムに用いられ、例えば移動体電話である前記携帯ユニットや、例えば基地局またはルータまたはサーバ等であるネットワークユニットを備える。
【０００４】
このようなトランシーバは、位相固定ループ（ＰＬＬ―Phase Locked Loop―）のための参照信号を供給する直接ディジタルシンセサイザ（ＤＳＳ―Direct Digital Synthesizer―）を開示するＵＳＰ５，８５９，５７０から公知である。この先行技術によれば、ＰＬＬで駆動されるこのＤＤＳは、ＰＬＬ用の参照信号として分割および周波数変換されたＤＤＳ信号を用いる。
【発明の概要】
【０００５】
この発明の目的は、とりわけ、前提の箇所に記載されたような低コストのトランシーバを提供することにある。
【０００６】
本発明に係るトランシーバは、位相固定ループにより駆動される前記ディジタルシンセサイザが、前記送信モードにあっては変調状態であり、受信モードにあっては発振状態であることを特徴とする。
【０００７】
この発明に係る前記トランシーバに送信部および受信部を許容することにより、ＰＬＬにより駆動される単一のＤＤＳを共有して、前記送信モードにあっては変調状態であり、前記受信モードにあっては発振状態（周波数合成部―シンセサイザ―状態）であり、低コストのトランシーバが提供される。
【０００８】
この発明は基本概念に基づいており、とりわけ、送信モードおよび受信モードを有し、２つのモードのために異なるモード毎に異なる部分を使用する代わりに、低コストのトランシーバの重要部分を用いている。
【０００９】
この発明は、とりわけ、低コストのトランシーバを提供して、簡単な構成であっても良好な性能を提供することにより問題を解決する。
【００１０】
請求項２に記載されたこの発明に係るトランシーバの第１の実施形態は、前記ＤＤＳが変調信号または非変調信号における状態に依存し、これにより、ＤＤＳの内部を何れかの状態に切り換えることを避けている点で有利である。
【００１１】
請求項３に記載されたこの発明に係るトランシーバの第２の実施形態は、低コストのスイッチがコントローラの制御の下に用いられ、このコントローラは、例えば送信モードと受信モードとを検出するモード検出部を備え、および、例えば前記検出に応答して制御信号を生成する制御信号生成部を備えている点で有利である。第１の制御信号および第２の制御信号はそれぞれ、完全に異なる制御信号であっても良く、または、第１の値と第２の値とをそれぞれ有する同一の信号であっても良い。
【００１２】
請求項４に記載されたこの発明に係るトランシーバの第３の実施形態は、前記ＰＬＬが前記変調状態で、改善された変調信号の生成を許容する第１のフィルタリング性能を備えると共に、前記ＰＬＬは、前記発振状態で、低減した位相雑音の復調を許容する第２のフィルタリング性能を備える点で有利である。
【００１３】
請求項５に記載されたこの発明に係るトランシーバの第４の実施形態は、例えばループフィルタである前記第１のフィルタと、例えば狭帯域フィルタである前記第２のフィルタとが、低コストスイッチを介して選択される点で有利である。
【００１４】
請求項６に記載されたこの発明に係るトランシーバの第５の実施形態は、ＰＬＬがその状態に依存して、送信部のために使われる変調信号、または、非送信部のために使われる非変調信号の何れかを生成する点で有利である。
【００１５】
請求項７に記載されたこの発明に係るトランシーバの第６の実施形態は、低コストのスイッチが、前記送信部を介して前記アンテナに前記変調信号を供給すると共に、前記アンテナおよび前記受信部を介して受信される無線信号を復調するための復調部に対して前記非変調信号を供給するために用いられている点で有利である。前記送信部は、例えば自動利得コントローラと、フィルタと、および、電力増幅部とを備える。前記受信部は、例えばフィルタと、低雑音増幅部と、および自動利得コントロータとを備え、前記復調部は例えばゼロ中間周波数（Zero Intermediate Frequency）モード、または、ゼロ近似中間周波数（Near Zero Intermediate Frequency）モードで動作する。第１の制御信号および第２の制御信号はそれぞれ、完全に異なる制御信号であっても良いし、または、第１の値および第２の値をそれぞれ有する同一の制御信号であっても良い。前記復調部および／または前記受信部は、共に前記非送信部を形成する。
【００１６】
この発明に係る位相固定ループで駆動されるディジタルシンセサイザ、この発明に係る位相固定ループ、この発明に係るディジタルシンセサイザ、この発明に係るシステム、この発明に係る携帯ユニット、この発明に係るネットワークユニット、および、この発明に係る方法の実施形態は、この発明に係るトランシーバの実施形態に相当する。
【００１７】
この発明のこれらおよびその他のアスペクトは、以下に詳細に説明する実施例から明らかとなるであろう。
【発明の詳細な説明】
【００１８】
図１は、この発明に係る位相固定ループ（ＰＬＬ）１０〜１５とこの発明に係るディジタルシンセサイザ（ＤＤＳ）２４を有するこの発明に係る位相固定ループで駆動されるディジタルシンセサイザ（ＰＬＬ駆動されるＤＤＳ）２４，１０〜１５を備えるこの発明に係るトランシーバの構成を示すブロック図である。このトランシーバは、その入力が送信部２の出力に結合されて、その出力が受信部４の入力に接続されたスイッチ３の入／出力に結合されたアンテナ１を備える。送信部２の入力は、スイッチ５の第１の出力に結合され、その第２の出力は復調部６の第１の入力に結合され、その入力はＰＬＬ１０〜１５の出力に結合される。復調部６の第２の入力は、受信部４の出力に結合され、復調部６の出力はコントローラ４０の入力に結合される。
【００１９】
ＰＬＬ１０〜１５は、その出力がＰＬＬ１０〜１５の出力を形成しさらに分周部１５の入力に結合される電圧制御発振部（ＶＣＯ―Voltage Controlled Oscillator―）１０を備え、分周部１５の出力は位相検知部１４の第１の入力に結合される。位相検知部１４の第２の入力はＤＤＳ２４の出力に結合され、位相検知部１４の出力は２つの並列フィルタ１２，１３の入力に結合され、第１のフィルタ１２の出力はスイッチ１１の第１の入力に結合され、第２のフィルタ１３の出力は該スイッチ１１の第２の入力に結合されている。スイッチ１１の出力はＶＣＯ１０の入力に結合される。
【００２０】
ＤＤＳ２４は、その出力がＤＤＳ２４の出力を形成し、その入力がＤ／Ａコンバータ２１の出力に結合されたフィルタ２０を備え、コンバータ２１の入力は、サイン成形部２２（例えばＲＯＭのような）の出力に結合される。サイン成形部２２の入力は、位相累算部２３の出力に結合される。ＤＤＳ２４のクロック入力は、掛け算部３１を介してクロック生成部３０に結合され、ＤＤＳ２４の信号入力はスイッチ３２の出力に結合される。
【００２１】
コントローラ４０は、復調部６の出力に結合されると共に（図示されないが可能性としては送信部２および／または受信部４および／または復調部６にも更に結合された）モード検出部４１にも更に結合されて、さらに、制御信号生成部４３，非変調信号生成部４４および変調信号生成部４５にも結合されたプロセッサ／メモリシステム４２を備える。変調信号生成部４５の出力はスイッチ３２の第１の入力に結合され、非変調信号生成部４４の出力はスイッチ３２の第２の入力に結合される。制御信号生成部４３の出力は、スイッチ１１，３２，３および５の制御入力に結合される。
【００２２】
時分割多重（ＴＤＤ）遠隔通信システムまたは時分割多元接続（ＴＤＭＡ）遠隔通信システムのような時分割遠隔通信システムにおいては、１つまたはそれ以上のタイムスロットの間に、変調された信号がこの発明に係るトランシーバから他のトランシーバに送信される（送信モード）と共に、１つまたはそれ以上の第２のタイムスロットの間に、変調された信号が他のトランシーバからこの発明に係るトランシーバに対して送信される（受信モード）。先行技術によれば、ＰＬＬにより駆動されるＤＤＳは、ＰＬＬにより駆動されるＤＤＳが周波数合成モードで動作することを開示するＵＳＰ５，８５９，５７０号のように参照信号を生成するために用いられる。
【００２３】
この発明―送信モードおよび受信モードを有し、異なるモードでは異なる部分を用いる代わりに、とりわけ、両方のモードに関し低コストのトランシーバにおける重要部分を用いる基本概念に基づく―によれば、ＰＬＬで駆動されるＤＤＳは前記送信モードでは変調状態であり、ＰＬＬで駆動されるＤＤＳは前記受信モードでは発振状態である。
【００２４】
これに対して、モード検出部４１は、第１の時間区間［time interval］の間にトランシーバが送信モードであること、例えば送信部２には図示されていない結合部［coupling―カップリング―］を介して、および／または、例えば演算を行なうことにより、前記第１のおよび第２のタイムスロットが標準化されていることを検出し、（例えば、図示されないがプロセッサ／メモリ４２に結合されたマン−マシン−インターフェイスから由来する音声信号に応答して）変調信号生成部に変調信号を生成するように指令するプロセッサ／メモリ４２に通知し、第１の制御信号を生成するように制御信号生成部４３に指令する。この第１の制御信号に応答して、スイッチ３２は変調信号生成部４５から発生してＤＤＳ２４へと前記変調信号を供給し、スイッチ１１は第１のフィルタ１２をＶＣＯ１０に結合し、第１のフィルタ１２は例えばＰＬＬ機能を向上させるためのループフィルタであり、かつ、変調信号の（占有された）帯域に等しいかまたはその帯域よりも僅かに大きい帯域を例えば有している。ＤＤＳ２４は、掛け算部３１およびクロック生成部３２を介してクロックパルスを含む掛け算されたクロック信号を受信して、前記変調信号を受信する。ＤＤＳ２４のマニュアル操作で、複雑な波形を含む何れかの信号は、それぞれ周波数、位相および振幅である少なくとも３つのパラメータの１つまたはそれ以上を定義することにより生成されることが可能である。これら３つのパラメータはそれぞれ、（位相累算部２３前／内で実現される周波数変調を伴う）周波数制御ワード［control word―制御言語―］により、（位相累算部２３およびサイン成形部２２前／内で実現される位相変調を伴う）位相制御ワードにより、（サイン成形部２２およびＤ／Ａ変換部２１前／内で実現される振幅変調を伴う）振幅制御ワードによって、制御されることが可能である。前記変調信号は、１つまたはそれ以上のこれらの制御ワードを操作して、その結果として、ＤＤＳ２４は、位相検出部１４と第１のフィルタ１１とＶＣＯ１０を介してフィードバックループ内の分周器１５を備えるＰＬＬ１０〜１５へと供給される、変調された参照信号を生成して、この変調された参照信号を固定する。固定された変調参照信号は、スイッチ５を介して送信部２へと供給され、このスイッチ５に依存して、例えば、前記第１の制御信号またはＶＣＯ４０を送信部２に接続するコントローラ４０で生成される、さらなる制御信号に応答して供給される。例えば、自動利得コントローラと、フィルタおよび電力増幅部を備える送信部２が、増幅され、フィルタされ、利得制御された固定変調参照信号をスイッチ３に供給して、これにより直接ディジタルＲＦ変調を提供する。スイッチ３はこの信号をアンテナ１に供給し、これは、スイッチ３に依存して、例えば前記第１の制御信号または転送部２をアンテナ１へと接続する図示されない結合部を介してコントローラ４０から生成される更なる制御信号に応答して行なわれる。したがって、この第１の時間区分の間に、トランシーバは送信モードにあり、ＰＬＬ２４，１０〜１５により駆動されるＤＤＳは変調状態にある。
【００２５】
その後、モード検出部４１は、第２の時間区分の間に、トランシーバが受信モードにあること、例えば図示されないが受信部４に接続された結合部を介して、および／または、例えば演算を行なうことにより、標準化された前記第１および第２のタイムスロットを伴っていることを検出し、非変調信号生成部４４に非変調信号を生成するように（例えば、プロセッサ／メモリシステム４２を介してｄｃ電圧適合可能な、または前記指令が必ずしも行なわれなくても良い場合には接地電圧を）指令する可能性のあるプロセッサ／メモリシステム４２に対し指令し、第２の制御信号を生成するように制御信号生成部４３に指令する。第２の制御信号に応答して、スイッチ３２は、非変調信号生成部４４からＤＤＳ２４に対して生成される非変調信号を供給し、スイッチ１１は第２のフィルタ１３をＶＣＯ１０に結合し、この第２のフィルタ１３は例えば低減された位相雑音を伴う変調を許容する狭帯域フィルタである。ここで、ＤＤＳ２４は、（いまここで前記制御ワードを操作しないが所定の／固定の制御ワードを供給／定義するか、または、ＤＤＳ２４がそれ自身の所定の／固定の値を有しているであろう場合には何れの制御ワードを供給／定義しないかの何れかである前記非変調信号に基づいて）非変調参照信号を生成し、この信号はＰＬＬ１０〜１５、すなわち位相検出部１４と第２のフィルタ１３とスイッチ１１とＶＣＯ１０とを介して、フィードバックループである分周器１５へと供給され、この非変調参照信号を固定する。固定された非変調参照信号は、スイッチ５を介して復調部６に供給され、スイッチ５により例えば前記第２の制御信号またはコントローラ４０から生成される更なる制御信号に応答して、ＶＣＯ１０を復調部６に結合する。例えばフィルタ、低雑音増幅部および自動ゲインコントローラを備える受信部４は、アンテナ１およびスイッチ３を介して（変調された）無線信号を受信する。スイッチ３は、例えば図示されない結合部を介して前記第２の制御信号またはコントローラ４０から生成される更なる制御信号に応答して、アンテナ１を受信部４に接続し、利得制御され、増幅され、フィルタされた（変調）無線信号を復調部６に供給し、復調部６は（例えば、高価でも嵩張ることもないＳＡＷ・ＩＦフィルタを必要とするので非常に有利な、ゼロＩＦモードまたは近似ゼロＩＦモードを介して）前記最後に説明した信号を前記固定された非変調参照信号を介して復調する。その結果、復調された信号は、例えばプロセッサ／メモリシステム４２を介して、図示されないが音声信号を生成するマン・マシン・インタフェイスに応答して、コントローラ４０に対して供給される。したがって、この第２の時間区分の間にトランシーバは受信モードであり、ＰＬＬ１０〜１５で駆動されるＤＤＳ２４は、発振状態である。
【００２６】
この発明に係るトランシーバの送信部および（受信部および／または復調部を備える）非送信部にＰＬＬで駆動される単一のＤＤＳを共有させることにより、前記送信モードにあっては変調状態であり、前記受信モードにあっては発振状態（周波数合成状態）となって、低コストのトランシーバが提供される。ＰＬＬで駆動されるＤＳＳが常に周波数合成状態であることを開示するＵＳ５，８５９，５７０のような先行技術と比較すると、この発明によるトランシーバは、ＰＬＬで駆動される前記ＤＤＳを異なる目的のために用いることにより、非常に有利である。換言すれば、トランシーバは、ＰＬＬで駆動されるＤＤＳに基づく無線周波数直接変調、および、ＰＬＬで駆動されるＤＤＳに基づく（例えばゼロＩＦまたは近似ゼロＩＦのような）無線周波数復調を用いて実現されており、これはトランシーバを低コストでかつサイズを小さくさせている。
【００２７】
この発明は、とりわけ（送信部および―受信部および／または復調部を備える―非送信部がＰＬＬで駆動される単一のＤＤＳを共有することにより）低コストのトランシーバを提供する課題を解決し、これは、（１つまたはそれ以上の前記低コストスイッチを用いることにより）簡単な構成を有すると共に、それにも拘わらず（ＰＬＬがそのモードに依存して特別なモード依存フィルタを用いることにより）良好な性能を提供する。その結果、この発明によるトランシーバは構成要素の減少と結合して高速な固定時間を有し、それ故に、より小さなサイズとより低減された重さを有することを可能にする。
【００２８】
図示されたまたは図示されない各ブロックは、１００％ハードウェアであることも、１００％ソフトウェアであることも、両方の混合であることも可能である。図示されたまたは図示されない各ブロックは、図示および／または非図示のブロックと互いに集積化されることも可能である。例えば、コントローラ４０において、モード検出部４１，制御信号生成部４３，非変調信号生成部４４および変調信号生成部４５は、部分的または全体的にプロセッサ／メモリシステム４２に集積化されることも可能である。スイッチ３２は、例えばＤＤＳ２４とコントローラ４０との間に配置することもでき、例えばＤＳＳ２４またはコントローラ４０の一部分として形成することもできる（この場合スイッチ３２はプロセッサ／メモリシステム４２に部分的にまたは全体的に集積化することもできる）。スイッチ１１は例えば、ＰＬＬ１０〜１５の一部分を構成することもでき、または例えば、ＰＬＬ１０〜１５とコントローラ４０との間に配置することもでき（この場合、フィルタ１２，１３は例えば、第１および第２のフィルタリング性能を提供するために（非）活性化されること、および／または、調整されることを可能にする１つまたはそれ以上のフィルタであることも可能である）、または、例えばコントローラ４０の一部分として形成することも可能である（この場合、例えば、第１および第２のフィルタリング性能を提供するために（非）活性化されること、および／または、調整されることを可能にする１つまたはそれ以上のフィルタであるフィルタ１２，１３を備えて、スイッチ３２はプロセッサ／メモリシステム４２に部分的または全体的に集積化されることも可能である）。スイッチ３２は例えばデマルチプレクサに相当可能であり、スイッチ１１は例えばセレクタまたはマルチプレクサに相当可能であり、スイッチ５は例えばデマルチプレクサに相当可能であり、および、スイッチ３は例えばマルチプレクサまたはデマルチプレクサに相当可能である。各スイッチは例えば、さらに、電力分割部に相当可能である。サイン成形部２２およびＤ／Ａ変換部２１は例えば、クロック生成部３０および／または掛け算部３１からのクロック信号をも受信可能である。
【００２９】
第１の制御信号および第２の制御信号はそれぞれ、完全に異なる制御信号であっても良いし、または、第１の値および第２の値をそれぞれ有する同じ制御信号であっても良い。さらに、完全に異なる制御信号であるか、または第３の値等を有する同じ制御信号である第３の制御信号等は、例えば、待機モード等のような第３のモードを形成するために、排除されるべきではない。したがって、この発明によるトランシーバは、ＰＬＬで駆動される多状態（二状態またはそれ以上）のＤＤＳを備える。
【００３０】
前記第１および第２のフィルタ１２，１３に加えて、例えば異なる種類の変調信号について前記ＰＬＬ内で異なって処理されるべきことを許容するために、第３のフィルタ等は排除されるべきではない。
【００３１】
前記送信モードでＰＬＬで駆動される前記ＤＤＳが変調状態であるという事実は、第１の時間区分の少なくとも一部分の間に前記変調信号がＤＤＳに供給されるということを意味する。さらに、前記受信モードでＰＬＬで駆動される前記ＤＤＳが非変調状態であるという事実は、第２の時間区分の少なくとも一部分の間に前記非変調信号がＤＤＳに供給されるということを意味する。可能な第３の時間区分の間に、前記変調信号または前記非変調または異なる信号が前記ＤＤＳに供給されても良いし、この間に信号が全く供給されなくても良い。
【図面の簡単な説明】
【００３２】
【図１】この発明に係るディジタルシンセサイザおよびこの発明に係る位相固定ループを有するこの発明に係る位相固定ループで駆動されるディジタルシンセサイザを備えるこの発明に係るトランシーバの構成を示すブロック図である。
【符号の説明】
【００３３】
１０〜１５  位相固定ループ（ＰＬＬ）
１０  電圧制御発振器（ＶＣＯ）
１１  スイッチ
１２  第１のフィルタ
１３  第２のフィルタ
１４  位相検出部
１５  分周部
２４  直接ディジタルシンセサイザ（ＤＤＳ）
４０  コントローラ
【図１】
2005514850.tif 000003
【国際調査報告】
2005514850.tif 000004
2005514850.tif 000005
2005514850.tif 000006